(57)【要約】【課題】  生体中の代謝能力情報の表示を行う機能を有する磁気共鳴イメージング（ＭＲＩ：Ｍａｇｎｅｔｉｃ  Ｒｅｓｏｎａｎｃｅ  Ｉｍａｇｉｎｇ）装置を提供する。【解決手段】  生体中の代謝能力情報の表示を行うＭＲＩ装置を，生体組織中の化学物質の磁気共鳴信号を求めるシステムと，前記システムを利用して化学物質情報を取得するシステムと，化学物質とその代謝物質のそれぞれの前記化学物質情報を対応付けて時系列毎に格納するシステムと，時系列に格納された化学物質とその代謝物質の前記化学物質情報から時系列の代謝率を生成するシステムと，前記情報処理部で生成された時系列の前記代謝率について経時的な増加が見られることを確認するシステムで構成する。  【選択図】  図３
2011251019.tif 000002
【特許請求の範囲】
【請求項１】
被験体に磁場を印加する磁場照射部と，
前記被験体からの磁気共鳴信号を取得する信号受信部と，
前記磁気共鳴信号に基づいて化学物質と前記化学物質の代謝物質の量を特定する化学物質情報を生成する化学物質情報生成部と，
前記被験体から取得した前記化学物質と前記化学物質の代謝物質のそれぞれの前記化学物質情報を対応付けて時系列毎に格納する記憶部と，
前記記憶部に時系列に格納された化学物質と代謝物質の前記化学物質情報から時系列の代謝率を算出する情報処理部と，
前記情報処理部で生成された時系列の前記代謝率について経時的な増加が見られるか否かを判断する確認部とを有するＭＲＩ装置。
【請求項２】
前記化学物質情報は，化学物質の磁気共鳴スペクトルのピーク高さ値，磁気共鳴スペクトルのピーク面積値，磁気共鳴スペクトルのピーク半値幅値，磁気共鳴スペクトルのケミカルシフト値，磁気共鳴スペクトルの周波数ドリフト値，磁気共鳴信号強度のうちいずれかもしくは複数であることを特徴とする請求項１記載のＭＲＩ装置。
【請求項３】
前記代謝率は，代謝物質の請求項２記載の化学物質情報について化学物質の請求項２記載の化学物質情報で除した解である請求項１記載のＭＲＩ装置。
【発明の詳細な説明】
【技術分野】
【０００１】
本発明は，磁気共鳴信号取得に関する磁気共鳴イメージング（ＭＲＩ：Ｍａｇｎｅｔｉｃ  Ｒｅｓｏｎａｎｃｅ  Ｉｍａｇｉｎｇ）用システムと，ＭＲＩ装置に関する。
【背景技術】
【０００２】
ＭＲＩ装置は，静磁場中におかれた測定対象に，特定周波数の高周波磁場を照射して磁気共鳴現象を誘起し，測定対象の物理的化学的情報を取得する装置である。ＭＲＩ装置では，主として水分子中の水素原子核の磁気共鳴現象を用い，生体組織によって異なる水素原子核の密度分布や緩和時間の差などを画像化できる。これにより，組織性状の差異を画像化でき，疾病の診断に高い効果をあげている。ＭＲＩ装置では，主として水分子の水素原子核１Ｈの密度分布や緩和時間を反映した濃度分布などを画像化している。これに対し，水素原子核１Ｈの磁気共鳴周波数が分子の化学結合の違いによってずれること（ケミカルシフト）を元に磁気共鳴信号を分離し，分子種ごとの濃度や緩和時間などを計測できることを基盤においたスペクトロスコピーやスペクトロスコピックイメージングも可能である。さらに，１Ｈ以外の１３Ｃ，１９Ｆ，３１Ｐなど他核種の磁気共鳴周波数の違いや，ケミカルシフトをもとに磁気共鳴信号を分離し，分子種毎の濃度や緩和時間等を計測する他核種ＭＲＩや他核種ＭＲスペクトロスコピーも可能である。
【０００３】
１９Ｆは生来の生体には存在せず，生体内の１９Ｆ成分は外来に起因する。そのため，前記多核種ＭＲＩのなかでも，特に１９Ｆ−ＭＲＩは生体内における医薬品など外来性化学物質の非侵襲的検知が可能となる。フルオロウラシル系化合物など，その化学構造中に１９Ｆが含まれる抗がん剤が多く存在することから，１９Ｆ−ＭＲＩは抗がん剤分布のモニタリングが可能になるため，臨床における１９Ｆ−ＭＲＩ装置の意義は大きい。
【０００４】
１９Ｆ−ＭＲＩ装置に関しては，特に造影剤を利用しての画像診断検査，すなわち造影ＭＲＩ検査においてその威力を発揮する。１Ｈ−ＭＲＩでは常磁性体を主要成分とするＭＲＩ用造影剤がすでに複数種類ほど上市中もしくは研究開発中であるが，１９Ｆ−ＭＲＩでは未だに造影１９Ｆ−ＭＲＩ検査用とした専用造影剤は上市されていないものの，前記フルオロウラシル系抗がん剤や，パーフルオロカーボンを含む化合物を生体に投与することで生体中の１９Ｆ成分をＭＲＩ装置で検出する研究的試みがあることは，参考としてプロシーディング・オブ・インターナショナル・ソサエティ・オブ・マグネティック・レゾナンス・イン・メディシン誌１４巻１８３４項２００６年発行，プロシーディング・オブ・インターナショナル・ソサエティ・オブ・マグネティック・レゾナンス・イン・メディシン誌１４巻３０９４項２００６年発行，プロシーディング・オブ・インターナショナル・ソサエティ・オブ・マグネティック・レゾナンス・イン・メディシン誌１２巻２４９７項２００４年発行，マグネティック・レゾナンス・イン・メディシン誌４６巻８６４項２００１年発行などに記載がある。
【０００５】
従来のＭＲＩ装置では，ＭＲＩ装置で取得された物質の磁気共鳴スペクトルのピーク高さ値，磁気共鳴スペクトルのピーク面積値，磁気共鳴スペクトルのピーク半値幅値，磁気共鳴スペクトルのケミカルシフト値，磁気共鳴スペクトルの周波数ドリフト値，磁気共鳴信号強度等から，物質の定量値を取得することは出来ない。ただし，１９Ｆ−ＭＲＩでは，生体内に投与された１９Ｆ成分を含む化合物量が非侵襲的に把握できる。一方，生体中の薬物や生化学物質の代謝能力情報の取得について，現状では検査薬服用，採血，組織採取が必要な侵襲的方法しか存在しない。また，生体中の薬物や生化学物質の代謝能力情報を取得するための一助となるコンパートメントモデル解析等に代表される薬物速度論的解析については，生体から複数回の採血が必要であることから，生体中の薬物や生化学物質の代謝能力情報を非侵襲的に取得できる手段とは言えない。かかる現実をふまえて，生体中の薬物や生化学物質の代謝能力情報を非侵襲的に求める計測システムは存在しない。本発明のＭＲＩ装置では，同一の関心領域から取得された２つ以上の物質の磁気共鳴信号を演算することで，物質の定量値を求めるまでもなく，非侵襲的に生体の代謝能力を算出することが可能となる事を記載する。
【先行技術文献】
【非特許文献】
【０００６】
【非特許文献１】プロシーディング・オブ・インターナショナル・ソサエティ・オブ・マグネティック・レゾナンス・イン・メディシン誌１４巻１８３４項２００６年発行
【非特許文献２】プロシーディング・オブ・インターナショナル・ソサエティ・オブ・マグネティック・レゾナンス・イン・メディシン誌１４巻３０９４項２００６年発行
【非特許文献３】プロシーディング・オブ・インターナショナル・ソサエティ・オブ・マグネティック・レゾナンス・イン・メディシン誌１２巻２４９７項２００４年発行
【非特許文献４】マグネティック・レゾナンス・イン・メディシン誌４６巻８６４項２００１年発行
【発明の概要】
【発明が解決しようとする課題】
【０００７】
生体の代謝能の表示を行う機能を有する磁気共鳴イメージング（ＭＲＩ：Ｍａｇｎｅｔｉｃ  Ｒｅｓｏｎａｎｃｅ  Ｉｍａｇｉｎｇ）装置を提供する。
【課題を解決するための手段】
【０００８】
生体中の代謝能力情報の表示を行うＭＲＩ装置を，生体組織中の化学物質の磁気共鳴信号を求めるシステムと，前記システムを利用して化学物質情報を取得するシステムと，化学物質とその代謝物質のそれぞれの前記化学物質情報を対応付けて時系列毎に格納するシステムと，時系列に格納された化学物質とその代謝物質の前記化学物質情報から時系列の代謝率を生成するシステムと，前記情報処理部で生成された時系列の前記代謝率について経時的な増加が見られることを確認するシステムで構成する。
【発明の効果】
【０００９】
以上の説明から明らかなように，本発明によれば，生体中の代謝能力情報の表示を行う機能を有するＭＲＩ装置を用いることで，非侵襲的に生体中の代謝能力情報を獲得することが出来ることを示している。
【００１０】
本発明の効果について哺乳類動物の薬物治療を例に挙げて記載する。
【００１１】
本発明は例えば投薬を受ける患者等について，非侵襲的な薬物代謝能力の検査が実現できることを示している。投薬を受ける患者について薬物代謝の機能不全もしくは機能欠損を早期に把握することは，医療者は投与量や投与タイミング等適切な薬物療法の設計，施術が可能となり，また患者当人は無用もしくは予期せぬ副作用が回避され，クオリティ・オブ・ライフが確保される。
【図面の簡単な説明】
【００１２】
【図１】本発明にかかるＭＲＩ装置の例の概略図。
【図２】実施例のパルスシーケンス概略図。
【図３】本発明にかかるフローチャート。
【図４】フルオロウラシル投与後のＷｉｓｔａｒ系ラットの肝の解剖学的位置における任意の画素群に関心領域における１９Ｆ−ＭＲＳの一例について，時系列毎のスペクトル，磁気共鳴信号強度，代謝率を示す図。
【図５】時系列の全代謝率を縦軸が代謝率，横軸がフルオロウラシル投与後時間としたグラフにプロットし，各プロットを線形近似したときの図。
【図６】表示装置での表示画面の例。
【発明を実施するための形態】
【００１３】
以下，本発明の実施の形態を説明する。ただし，本発明の運用は以下に述べる具体例に限られるものではない。
【実施例】
【００１４】
本発明によれば，生体中の代謝能力情報の表示を行う機能を有するＭＲＩ装置を用いることで，非侵襲的に生体中の代謝能力情報を獲得することが出来る。
【００１５】
本発明の効果について哺乳類動物の薬物治療を例に挙げて記載する。
【００１６】
本発明は例えば投薬を受ける患者等について，非侵襲的な薬物代謝能力の検査が実現できることを示している。投薬を受ける患者について薬物代謝の機能不全もしくは機能欠損を早期に把握することは，医療者は投与量や投与タイミング等適切な薬物療法の設計，施術が可能となり，また患者当人は無用もしくは予期せぬ副作用が回避され，クオリティ・オブ・ライフが確保される。
【００１７】
本発明にかかるＭＲＩ装置の例の概略図を図１に示す。図１において，０は被験体，１は磁場照射部としての静磁場発生磁石，２は高周波を発生させるためのシンセサイザ，３は前記シンセサイザ２で発生された高周波を波形整形，電力増幅するための変調装置，４は信号受信部としての高周波磁場コイル，５は傾斜磁場コイル６に電源を供給する傾斜磁場電源装置，６は傾斜磁場を発生させるための磁場照射部としての傾斜磁場発生コイル，７は前記高周波磁場コイル４で検出された磁気共鳴信号を増幅するための増幅器，８は前記増幅器７から送られる磁気共鳴信号をＡＤ変換するためのＡＤ変換器，９は前記磁気共鳴信号に基づいて化学物質情報を生成する化学物質情報生成部，１０は前記被験体から取得した化学物質とその代謝物質のそれぞれの前記化学物質情報を対応付けて時系列毎に格納する記憶部，１１は前記記憶部に時系列に格納された化学物質とその代謝物質の前記化学物質情報から時系列の代謝率を生成する情報処理部，１２は前記情報処理部で生成された時系列の前記代謝率について経時的な増加が見られることを確認する確認部，１３は前記情報処理部の生成結果と前記確認部の確認結果を表示するための表示装置，１４は各装置の制御を行うための制御装置である。なお，被験体０が正確な位置に固定されるように固定治具を使用してもよい。
【００１８】
さらに，本装置の動作の概要も説明する。被験体０の核スピンを励起する高周波磁場パルスは，シンセサイザ２により発生された高周波を変調装置３で波形整形，電力増幅し，高周波磁場コイル４に電流を供給することにより発生させる。傾斜磁場電源装置５から電流を供給された傾斜磁場発生コイル６は傾斜磁場を発生し，被験体０からの磁気共鳴信号を変調する。当該変調信号は高周波磁場コイル４より受信され，増幅器７で増幅，ＡＤ変換器８でＡＤ変換された後，化学物質情報生成部９に入力される。化学物質情報生成部９では時系列毎に化学物質とその代謝物質の磁気共鳴スペクトルのピーク高さ値，磁気共鳴スペクトルのピーク面積値，磁気共鳴スペクトルのピーク半値幅値，磁気共鳴スペクトルのケミカルシフト値，磁気共鳴スペクトルの周波数ドリフト値，磁気共鳴信号強度のうちいずれかもしくは複数を生成して記憶部１０に送る。記憶部１０では任意の計測タイミングで取得した化学物質とその代謝物質のそれぞれの化学物質情報を対応付けて時系列毎に格納する。情報処理部１１では時系列毎の化学物質とその代謝物質の化学物質情報を記憶部１０より呼び出し時系列毎の代謝率を算出する。確認部１２は前記情報処理部で算出された時系列の前記代謝率について経時的な増加が見られることを確認する。表示装置１３は，前記情報処理部の生成結果と前記確認部の確認結果を表示する。なお，制御装置１４は，予めプログラムされたタイミング，強度で各装置が動作するように制御を行う。
【００１９】
図２は，本実施例にかかるパルスシーケンスの概略図である。すなわち，ｘ方向のスライス選択磁場パルス１５とともに９０度高周波磁場パルス１６を，ｙ方向のスライス選択磁場パルス１７とともに１８０度高周波磁場パルス１８を，ｚ方向のスライス選択磁場パルス１９とともに１８０度高周波磁場パルス２０を順次印加し，ｘ方向のスライス選択磁場パルス１５を印加した後に傾斜磁場２１を印加し，データ取得される。なお，ｘ方向，ｙ方向，ｚ方向を入れ替えることも可能である。また，本発明にかかるイメージングのパルスシーケンスは，この方法に限らない。
【００２０】
図３では，本発明にかかるフローチャート図を示す。被験体０に化学物質が投与されたのち本発明にかかる検査が開始されると，被験体０のＭＲＩが実施され，化学物質情報生成部９にて任意の関心領域の化学物質情報が取得される。なお，本明細書で記載する化学物質情報とは，化学物質とその代謝物質の量を特定する情報であって，磁気共鳴スペクトルのピーク高さ値，磁気共鳴スペクトルのピーク面積値，磁気共鳴スペクトルのピーク半値幅値，磁気共鳴スペクトルのケミカルシフト値，磁気共鳴スペクトルの周波数ドリフト値，磁気共鳴信号強度のうちいずれかもしくは複数を指す。任意の計測タイミングで取得された化学物質とその代謝物質のそれぞれの化学物質情報が対応付けられて時系列毎に記憶部１０へ格納される。なお，前記記憶部１０に格納される情報としては，計測データそのものであってもよいし，これをある関数でフィッティングした際の係数であってもよく，特にこだわるものではない。また，ここまでのフローは任意回数ほど繰り返し実施しても何ら差し支えない。なお，本明細書で記載する代謝物質とは，化学物質が生体内で代謝されて生成した物質を指す。また，ここで記載される代謝とは酵素的代謝，非酵素的代謝のいずれであってもよい。
【００２１】
さらに言えば代謝物質が生成されるまでに化学部質が受ける酵素的代謝の回数と，代謝物質が生成されるまでに化学物質が受ける非酵素的代謝の回数に何ら制限はなく，代謝物質は化学物質から１段階のみならず２段階以上の代謝過程を経た物質であって何ら差し支えなく，代謝物質が受ける代謝段階の回数に制限はない。情報処理部１１では記憶部１０に格納された時系列の化学物質情報から時系列毎の代謝率が算出され，確認部１２では前記情報処理部１１で算出された時系列毎の代謝率の経時的な増加が見られることを確認し，表示装置１３が前記情報処理部の生成結果と前記確認部の確認結果を表示する。なお，本明細書で記載する代謝率とは，関係式［代謝物質の化学物質情報］／［化学物質の化学物質情報］の解を指す。代謝率は，前記情報処理部１１で実施される代謝率の算出がｎ回目である場合には［代謝率ｎ］とされ，時系列に生成される複数の代謝率値は容易に区別され得る。
【００２２】
次いで，前記ＭＲＩ装置ならびに前記パルスシーケンスを利用した本発明の効果の実証例を記載する。なお本実施例では哺乳類動物としてラットを用いた一例を記載しているが，哺乳類各科であれば例えばマウス，ウサギ，モルモット，マーモセット，サル，ヒトを問わず，決してこだわるものではない。
【００２３】
図４には，フルオロウラシル投与後のＷｉｓｔａｒ系ラット肝の１９Ｆ−ＭＲＳの一例について，時系列毎のスペクトル，磁気共鳴信号強度，代謝率を記す。なお，本実施例記載のフルオロウラシルの他，１９Ｆ原子を含有する化学物質のごく一部の例として，テガフール，カルモフール，ドキシフルリジン，カペシタビン，塩酸ゲムシタビン，リン酸フルダラビン，フルタミド，ビカルタミド，ゲフェチニブ等が挙げられるが，本発明では１９Ｆ原子を含有する化学物質であれば何ら限定がないことは言うまでもない。また，本発明の前記ＭＲＩ装置では，前記ＭＲＩ装置の測定対象となる化学物質とその代謝物質に含有される原子が１９Ｆのみに限定される必要は全くなく，前記ＭＲＩ装置の測定対象となる化学物質とその代謝物質に含有される原子が１Ｈ，１３Ｃ，１９Ｆ，３１Ｐのいずれかもしくは複数であれば，化学物質とその代謝物質に何ら限定がないことは言うまでもない。
【００２４】
フルオロウラシル２５０ｍｇ／ｋｇを投与したＷｉｓｔａｒ系ラットについて，前記ＭＲＩ装置ならびに前記パルスシーケンスを利用して肝のフルオロウラシル１９Ｆ−ＭＲＳを得るための主要な撮像パラメータの一例としては，静磁場強度７テスラのＭＲＩ装置を利用した場合，シーケンス：ＰＲＥＳＳ（Ｐｏｉｎｔ−ｒｅｓｏｌｖｅｄ  Ｓｐｅｃｔｒｏｓｃｏｐｙ  Ｓｅｑｕｅｎｃｅ）法，繰り返し時間：１０００ミリ秒，エコー時間：７．３６ミリ秒，ミキシングタイム：５．５１ミリ秒，積算回数：３００回，サンプリングポイント：２５６，バンド幅：１０キロヘルツ，であるが，これらの条件に決してこだわるものではない。また，フルオロウラシル２５０ｍｇ／ｋｇを投与したＷｉｓｔａｒ系ラットについて，前記ＭＲＩ装置ならびに前記パルスシーケンスを利用して肝のフルオロ―β―アラニン１９Ｆ−ＭＲＳを得るための主要な撮像パラメータの一例としては，静磁場強度７テスラのＭＲＩ装置を利用した場合，シーケンス：ＰＲＥＳＳ（Ｐｏｉｎｔ−ｒｅｓｏｌｖｅｄ  Ｓｐｅｃｔｒｏｓｃｏｐｙ  Ｓｅｑｕｅｎｃｅ）法，繰り返し時間：１０００ミリ秒，エコー時間：７．３６ミリ秒，ミキシングタイム：５．５１ミリ秒，積算回数：３００回，サンプリングポイント：２５６，バンド幅：１０キロヘルツ，であるが，これらの条件に決してこだわるものではない。
【００２５】
前記化学物質情報生成部９で生成された化学物質情報の前記記憶部１０への格納について記載し，前記情報処理部１１が時系列毎に前記記憶部１０に格納された化学物質情報から代謝率を算出する過程について記載する。
【００２６】
２２はフルオロウラシル投与後１５分のＷｉｓｔａｒ系ラットの肝の解剖学的位置における任意の画素群に関心領域におけるフルオロウラシル１９Ｆ−ＭＲＳの一例であり，２３は前記２２について肝の解剖学的位置における任意の画素群に関心領域におけるフルオロウラシルの１９Ｆ磁気共鳴信号強度が４．４５であったことを示している図である。２４はフルオロウラシル投与後２０分のＷｉｓｔａｒ系ラットの肝の解剖学的位置における任意の画素群に関心領域におけるフルオロ―β―アラニン１９Ｆ−ＭＲＳの一例であり，２５は前記２４について肝の解剖学的位置における任意の画素群に関心領域におけるフルオロ―β―アラニンの１９Ｆ磁気共鳴信号強度が２．４３であったことを示している図である。
【００２７】
前記化学物質情報生成部９で生成された前記２２と前記２３は対応付けられて前記記憶部１０に格納され，前記化学物質情報生成部９で生成された前記２４と前記２５は対応付けられて前記記憶部１０に格納される。前記情報処理部１１ではあらかじめ格納されている関係式［フルオロ―β―アラニンの１９Ｆ磁気共鳴信号強度］／［フルオロウラシルの１９Ｆ磁気共鳴信号強度］＝［代謝率］にフルオロウラシルの１９Ｆ磁気共鳴信号強度とフルオロ―β―アラニンの１９Ｆ磁気共鳴信号強度を代入して代謝率を算出する。すなわち，前記記憶部１０に格納された前記２３と前記２５から前記関係式を用いて［２．４３］／［４．４５］＝０．５５が算出され，代謝率０．５５が求められる。すなわち，前記記憶部１０には符号２６記載の代謝率１＝０．５５が格納される。
【００２８】
２７はフルオロウラシル投与後２５分のＷｉｓｔａｒ系ラットの肝の解剖学的位置における任意の画素群に関心領域におけるフルオロウラシル１９Ｆ−ＭＲＳの一例であり，２８は前記２７について肝の解剖学的位置における任意の画素群に関心領域におけるフルオロウラシルの１９Ｆ磁気共鳴信号強度が２．７８であったことを示している図である。２９はフルオロウラシル投与後３０分のＷｉｓｔａｒ系ラットの肝の解剖学的位置における任意の画素群に関心領域におけるフルオロ―β―アラニン１９Ｆ−ＭＲＳの一例であり，３０は前記２９について肝の解剖学的位置における任意の画素群に関心領域におけるフルオロ―β―アラニンの１９Ｆ磁気共鳴信号強度が２．４９であったことを示している図である。
【００２９】
前記化学物質情報生成部９で生成された前記２７と前記２８は対応付けられて前記記憶部１０に格納され，前記化学物質情報生成部９で生成された前記２９と前記３０は対応付けられて前記記憶部１０に格納される。前記情報処理部１１ではあらかじめ格納されている関係式［フルオロ―β―アラニンの１９Ｆ磁気共鳴信号強度］／［フルオロウラシルの１９Ｆ磁気共鳴信号強度］＝［代謝率］にフルオロウラシルの１９Ｆ磁気共鳴信号強度とフルオロ―β―アラニンの１９Ｆ磁気共鳴信号強度を代入して代謝率を算出する。すなわち，前記記憶部１０に格納された前記２８と前記３０から前記関係式を用いて［２．４９］／［２．７８］＝０．９０が算出され，代謝率０．９０が求められる。すなわち，前記記憶部１０には符号３１記載の代謝率２＝０．９０が格納される。
【００３０】
３２はフルオロウラシル投与後３５分のＷｉｓｔａｒ系ラットの肝の解剖学的位置における任意の画素群に関心領域におけるフルオロウラシル１９Ｆ−ＭＲＳの一例であり，３３は前記３２について肝の解剖学的位置における任意の画素群に関心領域におけるフルオロウラシルの１９Ｆ磁気共鳴信号強度が３．０５であったことを示している図である。３４はフルオロウラシル投与後４０分のＷｉｓｔａｒ系ラットの肝の解剖学的位置における任意の画素群に関心領域におけるフルオロ―β―アラニン１９Ｆ−ＭＲＳの一例であり，３５は前記３４について肝の解剖学的位置における任意の画素群に関心領域におけるフルオロ―β―アラニンの１９Ｆ磁気共鳴信号強度が３．１３であったことを示している図である。
【００３１】
前記化学物質情報生成部９で生成された前記３２と前記３３は対応付けられて前記記憶部１０に格納され，前記化学物質情報生成部９で生成された前記３４と前記３５は対応付けられて前記記憶部１０に格納される。前記情報処理部１１ではあらかじめ格納されている関係式［フルオロ―β―アラニンの１９Ｆ磁気共鳴信号強度］／［フルオロウラシルの１９Ｆ磁気共鳴信号強度］＝［代謝率］にフルオロウラシルの１９Ｆ磁気共鳴信号強度とフルオロ―β―アラニンの１９Ｆ磁気共鳴信号強度を代入して代謝率を算出する。すなわち，前記記憶部１０に格納された前記３３と前記３５から前記関係式を用いて［３．１３］／［３．０５］＝１．０３が算出され，代謝率１．０３が求められる。すなわち，前記記憶部１０には符号３６記載の代謝率３＝１．０３が格納される。
【００３２】
３７はフルオロウラシル投与後４５分のＷｉｓｔａｒ系ラットの肝の解剖学的位置における任意の画素群に関心領域におけるフルオロウラシル１９Ｆ−ＭＲＳの一例であり，３８は前記３７について肝の解剖学的位置における任意の画素群に関心領域におけるフルオロウラシルの１９Ｆ磁気共鳴信号強度が２．９０であったことを示している図である。３９はフルオロウラシル投与後５０分のＷｉｓｔａｒ系ラットの肝の解剖学的位置における任意の画素群に関心領域におけるフルオロ―β―アラニン１９Ｆ−ＭＲＳの一例であり，４０は前記３９について肝の解剖学的位置における任意の画素群に関心領域におけるフルオロ―β―アラニンの１９Ｆ磁気共鳴信号強度が３．９６であったことを示している図である。
【００３３】
前記化学物質情報生成部９で生成された前記３７と前記３８は対応付けられて前記記憶部１０に格納され，前記化学物質情報生成部９で生成された前記３９と前記４０は対応付けられて前記記憶部１０に格納される。前記情報処理部１１ではあらかじめ格納されている関係式［フルオロ―β―アラニンの１９Ｆ磁気共鳴信号強度］／［フルオロウラシルの１９Ｆ磁気共鳴信号強度］＝［代謝率］にフルオロウラシルの１９Ｆ磁気共鳴信号強度とフルオロ―β―アラニンの１９Ｆ磁気共鳴信号強度を代入して代謝率を算出する。すなわち，前記記憶部１０に格納された前記３８と前記４０から前記関係式を用いて［３．９６］／［２．９０］＝１．３７が算出され，代謝率１．３７が求められる。すなわち，前記記憶部１０には符号４１記載の代謝率４＝１．３７が格納される。
【００３４】
上の一例では，前記化学物質情報生成部９がフルオロウラシルの１９Ｆ磁気共鳴信号強度を得た５分後にフルオロ―β―アラニンの１９Ｆ磁気共鳴信号強度を得て，前記情報処理部１１が代謝率を算出した例を記載しているが，前記化学物質情報生成部９がフルオロウラシルの１９Ｆ磁気共鳴信号強度とフルオロ―β―アラニンの１９Ｆ磁気共鳴信号強度とを得るタイミングは，本実施例記載の通りずれがあっても何ら差し支えなく，もちろん同時であってもよい。また，前記化学物質情報生成部９がフルオロウラシルの１９Ｆ磁気共鳴信号強度とフルオロ―β―アラニンの１９Ｆ磁気共鳴信号強度とを得る順序に何らの制限はない。さらに，前記化学物質情報生成部９がフルオロウラシルの１９Ｆ磁気共鳴信号強度とフルオロ―β―アラニンの１９Ｆ磁気共鳴信号強度とを得る回数と，前記情報処理部１１が代謝率を算出する回数とに何らの制限がないことも言うまでもない。
【００３５】
前記情報処理部１１で時系列毎に算出され，前記記憶部１０に格納された一連の代謝率について，確認部１２が経時的な代謝率の増加を確認する過程を記載する。
【００３６】
前記確認部１２では，前記記憶部１０に格納された時系列の代謝率が経時的な増加を示すことを確認する。すなわち，前記確認部１２では，代謝率１として０．５５，代謝率２として０．９０，代謝率３として１．０３，代謝率４として１．３７を，縦軸が代謝率，横軸が当該代謝率を求めたときのフルオロウラシル１９Ｆ磁気共鳴信号強度を測定した時間としたグラフにそれぞれプロットし，各プロットの線形近似を行い回帰直線を求め，回帰直線が正の傾きをもつことを確認する。
【００３７】
本記載の例では，図５に示す通り，回帰直線はｙ＝０．０２６ｘ＋０．１８０３と求められ，回帰直線が正の傾きをもつことが確認された。本発明によれば，当該回帰直線の傾きは生体中の代謝能力情報を厳に反映する値である。本発明では前記確認部１２は回帰直線の傾きについて閾値を設けることが可能であり，実施者は閾値を任意に設定できる。回帰直線の傾きの閾値は，望ましくは０．００５以上，さらに望ましくは０．０１０以上である。図６では，表示装置１３の表示画面の例を記す。前記確認部１２により，任意に設定された閾値を上回ったことが確認された場合，表示装置１３は生体の代謝能力に問題ない旨の情報を任意の文言もしくは記号で表示してもよいし，任意に設定された閾値を下回ったことが確認された場合，表示装置１３は生体の代謝能力に問題がある旨の情報を任意の文言もしくは記号で表示してもよい。
【００３８】
また，本発明の表示装置では，ＭＲＩ撮像結果，設定された関心領域，化学物質情報，代謝率，代謝率の回帰直線の傾き，代謝率の回帰直線の相関係数のうちいずれかもしくは複数を表示画面に表示してもよく，表示画面に表示する情報はこれらに限定されない。図６では，Ｗｉｓｔａｒ系ラットの１Ｈ−ＭＲＩ画像上に，任意に設定された関心領域を表示し，また前記確認部１２で実施者が回帰直線の傾きの閾値を０．０１０と設定し，前記確認部１２から入力された回帰直線の傾きが０．０２６であったため前記確認部１２が生体の代謝能力に問題ないとの判断を行った結果，表示装置１３が生体の代謝能力に問題ない旨の任意の文言を表示した一例を記す。
【００３９】
上の通り，本発明によれば，生体中の代謝能力情報の表示を行う機能を有するＭＲＩ装置を記載できる。
【符号の説明】
【００４０】
０：被験体
１：静磁場発生磁石
２：シンセサイザ
３：変調装置
４：高周波磁場コイル
５：傾斜磁場電源装置
６：傾斜磁場発生コイル
７：増幅器
８：ＡＤ変換器
９：化学物質情報生成部
１０：記憶部
１１：情報処理部
１２：確認部
１３：表示装置
１４：制御装置
１５：ｘ方向のスライス選択磁場パルス
１６：９０度高周波磁場パルス
１７：ｙ方向のスライス選択磁場パルス
１８：１８０度高周波磁場パルス
１９：ｚ方向のスライス選択磁場パルス
２０：１８０度高周波磁場パルス
２１：傾斜磁場
２２：フルオロウラシル投与後１５分のＷｉｓｔａｒ系ラットの肝の解剖学的位置におけ      る任意の画素群に関心領域におけるフルオロウラシル１９Ｆ−ＭＲＳの一例
２３：フルオロウラシル投与後１５分のＷｉｓｔａｒ系ラットの肝の解剖学的位置におけ      る任意の画素群に関心領域におけるフルオロウラシル１９Ｆ−ＭＲＳの一例につい      て，ラットの肝の解剖学的位置における任意の画素群に関心領域におけるフルオロ      ウラシルの１９Ｆ磁気共鳴信号強度が４．４５であったことを示している図
２４：フルオロウラシル投与後２０分のＷｉｓｔａｒ系ラットの肝の解剖学的位置におけ      る任意の画素群に関心領域におけるフルオロ―β―アラニン１９Ｆ−ＭＲＳの一例
２５：フルオロウラシル投与後２０分のＷｉｓｔａｒ系ラットの肝の解剖学的位置におけ      る任意の画素群に関心領域におけるフルオロ―β―アラニン１９Ｆ−ＭＲＳの一例      について，ラットの肝の解剖学的位置における任意の画素群に関心領域におけるフ      ルオロ―β―アラニンの１９Ｆ磁気共鳴信号強度が２．４３であったことを示して      いる図
２６：記憶部に格納された２３，２５の化学物質情報をもとに情報処理部で算出された代      謝率１が０．５５であったことを示す図
２７：フルオロウラシル投与後２５分のＷｉｓｔａｒ系ラットの肝の解剖学的位置におけ      る任意の画素群に関心領域におけるフルオロウラシル１９Ｆ−ＭＲＳの一例
２８：フルオロウラシル投与後２５分のＷｉｓｔａｒ系ラットの肝の解剖学的位置におけ      る任意の画素群に関心領域におけるフルオロウラシル１９Ｆ−ＭＲＳの一例につい      て，ラットの肝の解剖学的位置における任意の画素群に関心領域におけるフルオロ      ウラシルの１９Ｆ磁気共鳴信号強度が２．７８であったことを示している図
２９：フルオロウラシル投与後３０分のＷｉｓｔａｒ系ラットの肝の解剖学的位置におけ      る任意の画素群に関心領域におけるフルオロ―β―アラニン１９Ｆ−ＭＲＳの一例
３０：フルオロウラシル投与後３０分のＷｉｓｔａｒ系ラットの肝の解剖学的位置におけ      る任意の画素群に関心領域におけるフルオロ―β―アラニン１９Ｆ−ＭＲＳの一例      について，ラットの肝の解剖学的位置における任意の画素群に関心領域におけるフ      ルオロ―β―アラニンの１９Ｆ磁気共鳴信号強度が２．４９であったことを示して      いる図
３１：記憶部に格納された２７，２９の化学物質情報をもとに情報処理部で算出された代      謝率２が０．９０であったことを示す図
３２：フルオロウラシル投与後３５分のＷｉｓｔａｒ系ラットの肝の解剖学的位置におけ      る任意の画素群に関心領域におけるフルオロウラシル１９Ｆ−ＭＲＳの一例
３３：フルオロウラシル投与後３５分のＷｉｓｔａｒ系ラットの肝の解剖学的位置におけ      る任意の画素群に関心領域におけるフルオロウラシル１９Ｆ−ＭＲＳの一例につい      て，ラットの肝の解剖学的位置における任意の画素群に関心領域におけるフルオロ      ウラシルの１９Ｆ磁気共鳴信号強度が３．０５であったことを示している図
３４：フルオロウラシル投与後４０分のＷｉｓｔａｒ系ラットの肝の解剖学的位置におけ      る任意の画素群に関心領域におけるフルオロ―β―アラニン１９Ｆ−ＭＲＳの一例
３５：フルオロウラシル投与後４０分のＷｉｓｔａｒ系ラットの肝の解剖学的位置におけ      る任意の画素群に関心領域におけるフルオロ―β―アラニン１９Ｆ−ＭＲＳの一例      について，ラットの肝の解剖学的位置における任意の画素群に関心領域におけるフ      ルオロ―β―アラニンの１９Ｆ磁気共鳴信号強度が３．１３であったことを示して      いる図
３６：記憶部に格納された３３，３５の化学物質情報をもとに情報処理部で算出された代      謝率３が１．０３であったことを示す図
３７：フルオロウラシル投与後４５分のＷｉｓｔａｒ系ラットの肝の解剖学的位置におけ      る任意の画素群に関心領域におけるフルオロウラシル１９Ｆ−ＭＲＳの一例
３８：フルオロウラシル投与後４５分のＷｉｓｔａｒ系ラットの肝の解剖学的位置におけ      る任意の画素群に関心領域におけるフルオロウラシル１９Ｆ−ＭＲＳの一例につい      て，ラットの肝の解剖学的位置における任意の画素群に関心領域におけるフルオロ      ウラシルの１９Ｆ磁気共鳴信号強度が２．９０であったことを示している図
３９：フルオロウラシル投与後５０分のＷｉｓｔａｒ系ラットの肝の解剖学的位置におけ      る任意の画素群に関心領域におけるフルオロ―β―アラニン１９Ｆ−ＭＲＳの一例
４０：フルオロウラシル投与後５０分のＷｉｓｔａｒ系ラットの肝の解剖学的位置におけ      る任意の画素群に関心領域におけるフルオロ―β―アラニン１９Ｆ−ＭＲＳの一例      について，ラットの肝の解剖学的位置における任意の画素群に関心領域におけるフ      ルオロ―β―アラニンの１９Ｆ磁気共鳴信号強度が３．９６であったことを示して      いる図
４１：記憶部に格納された３８，４０の化学物質情報をもとに情報処理部で算出された代      謝率４が１．３７であったことを示す図
４２：代謝率１，代謝率２，代謝率３，代謝率４を縦軸が代謝率，横軸がフルオロウラシ      ル投与後時間としたグラフにそれぞれプロットし，各プロットを線形近似したとき      の図
【図１】
2011251019.tif 000003
【図２】
2011251019.tif 000004
【図３】
2011251019.tif 000005
【図４】
2011251019.tif 000006
【図５】
2011251019.tif 000007
【図６】
2011251019.tif 000008